(57)【要約】【課題】基地局からユーザ装置に通知する制御信号のオーバーヘッドの増大を抑制しつつ、ユーザ装置の移動速度や遅延スプレッドの分布の環境に応じて無線リソースにおける復調用参照信号の配置パターンを設定することができる基地局装置を提供する。【解決手段】基地局装置の無線通信エリアで使用可能な無線リソースにおける復調用参照信号の複数の配置パターン候補の情報を記憶し、無線通信エリアに在圏しているユーザ装置の移動速度及び遅延スプレッドの少なくとも一方を集計し、その集計結果に基づいて、前記複数の配置パターン候補から該無線通信エリアに在圏するユーザ装置に割り当て可能な一又は複数の配置パターン候補を絞り込んで決定し、決定した一又は複数の配置パターン候補の情報をユーザ装置に通知する。【選択図】図１
2018182515.tif 000002
【特許請求の範囲】
【請求項１】
移動通信システムの基地局装置であって、
当該基地局装置の無線通信エリアで使用可能な無線リソースにおける復調用参照信号の複数の配置パターン候補の情報を記憶する記憶手段と、
当該基地局装置の無線通信エリアに在圏しているユーザ装置の移動速度及び遅延スプレッドの少なくとも一方を集計し、その集計結果に基づいて、前記複数の配置パターン候補から該無線通信エリアに在圏するユーザ装置に割り当て可能な一又は複数の配置パターン候補を絞り込んで決定する決定手段と、
前記決定した一又は複数の配置パターン候補の情報を前記ユーザ装置に通知する通知手段と、を備えることを特徴とする基地局装置。
【請求項２】
請求項１の基地局装置において、
前記決定手段は、前記無線通信エリア内のユーザ装置の移動速度及び遅延スプレッドの少なくとも一方の累積分布関数の所定範囲に対応する復調用参照信号の配置パターン候補に絞り込むように、前記複数の配置パターン候補から該無線通信エリアに在圏するユーザ装置に割り当て可能な一又は複数の配置パターン候補を絞り込んで決定することを特徴とする基地局装置。
【請求項３】
請求項１又は２の基地局装置において、
前記決定手段は、前記無線通信エリアが分割された複数の分割エリアそれぞれについて、前記複数の配置パターン候補から該分割エリアに在圏するユーザ装置に割り当て可能な一又は複数の配置パターン候補を絞り込んで決定し、
前記第１の通知手段は、前記ユーザ装置の位置情報に基づいて、前記ユーザ装置が位置する分割エリアに対応する前記複数の配置パターン候補の情報を通知することを特徴とする基地局装置。
【請求項４】
請求項３の基地局装置において、
前記決定手段は、前記複数の分割エリアそれぞれについて、該分割エリアにおけるユーザ装置の移動速度及び遅延スプレッドの少なくとも一方を集計し、その集計結果に基づいて、前記複数の配置パターン候補から該分割エリアに在圏するユーザ装置に割り当て可能な一又は複数の配置パターン候補を絞り込んで決定することを特徴とする基地局装置。
【請求項５】
請求項３又は４の基地局装置において、
前記決定手段は、
前記複数の分割エリアそれぞれについて、該分割エリアにおけるユーザ装置の遅延スプレッドを集計し、その集計結果に基づいて、前記複数の配置パターン候補から該分割エリアに在圏するユーザ装置に割り当て可能な周波数軸上の配置密度を有する複数の配置パターン候補を絞り込んで決定し、
前記絞り込んだ複数の配置パターン候補から、前記ユーザ装置の移動速度に基づいて、該ユーザ装置に割り当て可能な時間軸上の配置密度を有する一又は複数の配置パターン候補を絞り込んで決定することを特徴とする基地局装置。
【請求項６】
請求項１乃至５のいずれかの基地局装置において、
前記決定手段は、前記ユーザ装置の移動速度に基づいて、前記ユーザ装置に通知する配置パターン候補における時間軸上の復調用参照信号の配置密度を設定することを特徴とする基地局装置。
【発明の詳細な説明】
【技術分野】
【０００１】
本発明は、移動通信システムの基地局装置に関するものである。
【背景技術】
【０００２】
従来、移動通信システムにおいては、基地局から送信されたダウンリンクのデータ信号をユーザ装置（「ユーザ装置」や「移動局」ともいう。）で復調するために、あらかじめ基地局から送信される既知のトレーニング用の参照信号である復調用参照信号（以下「ＤＭＲＳ」ともいう。）を用いてユーザ装置側で伝送路（チャネル）推定を行うことが知られている。ＬＴＥの無線通信方式では、無線リソース上で固定された配置パターンのＤＭＲＳが用いられている。
【０００３】
また、大容量通信、多数接続、低遅延等に対応する第５次世代の移動通信システム（非特許文献１）に対応するため、ＤＣＩ（ダウンリンク制御情報）によってユーザ装置に予め通知された複数のＤＭＲＳ配置パターンを切り替えて用いること、及び、その複数のＤＭＲＳ配置パターンの通知及び切替をＲＲＣ（無線リソース制御）シグナリングとＤＣＩとによって二段階で切り替えて行うことが検討されている（非特許文献２、３参照）。
【先行技術文献】
【非特許文献】
【０００４】
【非特許文献１】Ｇ．  Ｒｏｍａｎｏ，  「３ＧＰＰ  ＲＡＮ  ｐｒｏｇｒｅｓｓ  ｏｎ  “５Ｇ”」，３ＧＰＰ，２０１６．
【非特許文献２】３ＧＰＰ，Ｒ１−１７００１１７，  ＺＴＥ，  「Ａｓｐｅｃｔｓ  ｏｆ  ＤＬ  ＭＩＭＯ  Ｔｒａｎｓｍｉｓｓｉｏｎ」．
【非特許文献３】３ＧＰＰ，Ｒ１−１７００１３５，  ＺＴＥ，  「Ｄｉｓｃｕｓｓｉｏｎ  ｏｎ  ｄｏｗｎｌｉｎｋ  ＤＭＲＳ  ｄｅｓｉｇｎ」．
【発明の概要】
【発明が解決しようとする課題】
【０００５】
しかしながら、上記ＬＴＥの無線通信方式における固定配置パターンのＤＭＲＳを用いた場合、ユーザ装置の移動速度や遅延スプレッドの分布等の環境によってはチャネル推定の精度が低下してダウンリンクのスループットが低下するおそれがある。また、上記複数のＤＭＲＳ配置パターンの通知及び切替を行う場合、候補となる多数のＤＭＲＳ配置パターンの情報を制御信号（制御メッセージ）でユーザ装置に通知する必要があり、制御信号（制御メッセージ）のオーバーヘッドが増大するおそれがある。
【課題を解決するための手段】
【０００６】
上記課題を解決するために、本発明の一態様に係る基地局装置は、移動通信システムの基地局装置であって、当該基地局装置の無線通信エリアで使用可能な無線リソースにおける復調用参照信号の複数の配置パターン候補の情報を記憶する記憶手段と、当該基地局装置の無線通信エリアに在圏しているユーザ装置の移動速度及び遅延スプレッドの少なくとも一方を集計し、その集計結果に基づいて、前記複数の配置パターン候補から該無線通信エリアに在圏するユーザ装置に割り当て可能な一又は複数の配置パターン候補を絞り込んで決定する決定手段と、前記決定した一又は複数の配置パターン候補の情報を前記ユーザ装置に通知する通知手段と、を備える。
【０００７】
前記基地局装置において、前記記憶手段は、前記復調用参照信号の時間軸上の配置密度が互いに異なる複数の配置パターン候補の情報を記憶し、前記決定手段は、前記ユーザ装置の移動速度に高いほど前記復調用参照信号の時間軸上の配置密度が高い配置パターンを選択して絞り込んでもよい。
また、前記記憶手段は、前記復調用参照信号の周波数軸上の配置密度が互いに異なる複数の配置パターン候補の情報を記憶し、前記決定手段は、前記遅延スプレッドが大きいほど前記復調用参照信号の周波数軸上の配置密度が高い配置パターンを選択して絞り込んでもよい。
また、前記決定手段は、前記無線通信エリア内のユーザ装置の移動速度及び遅延スプレッドの少なくとも一方の累積分布関数の所定範囲に対応する復調用参照信号の配置パターン候補に絞り込むように、前記複数の配置パターン候補から該無線通信エリアに在圏するユーザ装置に割り当て可能な一又は複数の配置パターン候補を絞り込んで決定してもよい。
【０００８】
また、前記基地局装置において、前記決定手段は、前記無線通信エリアが分割された複数の分割エリアそれぞれについて、前記複数の配置パターン候補から該分割エリアに在圏するユーザ装置に割り当て可能な一又は複数の配置パターン候補を絞り込んで決定し、前記第１の通知手段は、前記ユーザ装置の位置情報に基づいて、前記ユーザ装置が位置する分割エリアに対応する前記複数の配置パターン候補の情報を通知してもよい。
ここで、前記決定手段は、前記複数の分割エリアそれぞれについて、該分割エリアにおけるユーザ装置の移動速度及び遅延スプレッドの少なくとも一方を集計し、その集計結果に基づいて、前記複数の配置パターン候補から該分割エリアに在圏するユーザ装置に割り当て可能な一又は複数の配置パターン候補を絞り込んで決定してもよい。
また、前記決定手段は、前記複数の分割エリアそれぞれについて、該分割エリアにおけるユーザ装置の遅延スプレッドを集計し、その集計結果に基づいて、前記複数の配置パターン候補から該分割エリアに在圏するユーザ装置に割り当て可能な周波数軸上の配置密度を有する複数の配置パターン候補を絞り込んで決定し、前記絞り込んだ複数の配置パターン候補から、前記ユーザ装置の移動速度に基づいて、該ユーザ装置に割り当て可能な時間軸上の配置密度を有する一又は複数の配置パターン候補を絞り込んで決定してもよい。
【０００９】
また、前記基地局装置において、前記決定手段は、前記ユーザ装置の移動速度に基づいて、前記ユーザ装置に通知する配置パターン候補における時間軸上の復調用参照信号の配置密度を設定してもよい。ここで、前記ユーザ装置の移動速度が高いほど前記配置パターン候補における時間軸上の復調用参照信号の配置密度を高めてもよい。
【００１０】
また、前記基地局装置において、前記通知手段は、前記ユーザ装置の移動速度に基づいて、前記決定した一又は複数の配置パターン候補の情報を前記ユーザ装置に通知するときの信号や通信方式を切り替えてもよい。例えば、前記ユーザ装置の移動速度が所定速度以上の高速度の場合はＤＣＩ（ダウンリンク制御情報）を用いて通知し、前記ユーザ装置の移動速度が所定速度よりも低い低速度の場合は上位レイヤのＲＲＣシグナリングを用いて通知してもよい。
【発明の効果】
【００１１】
本発明によれば、基地局からユーザ装置に送信する制御信号のオーバーヘッドの増大を抑制しつつ、ユーザ装置の移動速度や遅延スプレッドの分布の環境に応じて無線リソースにおける復調用参照信号の配置パターンを設定することができる。
【図面の簡単な説明】
【００１２】
【図１】本発明の一実施形態に係る移動通信システムの全体構成の一例を示す概略構成図。
【図２】本実施形態の移動通信システムにおける基地局の主要部の一構成例を示すブロック図。
【図３】基地局からユーザ装置に送信される復調用参照信号（ＤＭＲＳ）の配置パターンの一例を示す図。
【図４】（ａ）低速移動環境及び高速移動環境それぞれにおけるフェージングによるダウンリンクの受信信号の時間軸上の変動特性の例を示す図。（ｂ）マルチパス環境において遅延スプレッドが小さい場合及び大きい場合それぞれのユーザ装置における周波数選択性フェージングによるダウンリンクの受信信号の周波数軸上の変動特性の例を示す図。
【図５】基地局のセル内に在圏する複数のユーザ装置の移動速度の累積分布関数の一例を示すグラフ。
【図６】図５の移動速度分布を有するセルに対応するように決定した複数のＤＭＲＳ配置パターン候補の一例を示す図。
【図７】基地局のセル内に在圏する複数のユーザ装置の移動速度の累積分布関数の他の例を示すグラフ。
【図８】図７の移動速度分布を有するセルに対応するように決定した複数のＤＭＲＳ配置パターン候補の一例を示す図。
【図９】基地局のセル内に在圏するユーザ装置の遅延スプレッドによる受信信号の周波数軸上の変動が互いに異なる場合それぞれに対応するように決定した複数のＤＭＲＳ配置パターン候補の例を示す図。
【図１０】セルを分割した複数の分割エリア（グリッド）の一例を示す図。
【図１１】ユーザ装置の移動速度が低速度のときのＤＭＲＳ配置パターン候補の例を示す図。
【図１２】ユーザ装置の移動速度が高速度のときのＤＭＲＳ配置パターン候補の例を示す図。
【発明を実施するための形態】
【００１３】
以下、図面を参照して本発明の実施形態について説明する。ここでは、ＬＴＥ（Long Term Evolution）／ＬＴＥ−Ａｄｖａｎｃｅｄや第５世代の移動通信システムへの適用を前提に本発明の実施形態を説明するが、類似のセル構成、物理チャネル構成を用いるシステムであれば、本発明の概念はどのようなシステムにも適用可能である。また、伝搬路の推定に用いられる参照信号系列や誤り訂正のために用いられる符号化方式はＬＴＥ／ＬＴＥ−Ａｄｖａｎｃｅｄや第５世代の移動通信システムで定義されているものに限定されず、これらの用途に適合するものであれば、どのような種類のものでも構わない。
【００１４】
図１は、本発明の一実施形態に係る移動通信システムの全体構成の一例を示す概略構成図である。図１において、本実施形態に係る移動通信システムは、所定のインターフェースにより移動通信網のコアネットワークに接続されたマクロセル基地局やスモールセル基地局などの基地局１０と、基地局１０と無線通信可能なユーザ装置（「ＵＥ」、「端末」、「端末装置」、「移動局」等ともいう。）２０、２１とを備える。なお、図示の例では、基地局１０のセル１０Ａに２つのユーザ装置が在圏している場合について示しているが、３以上のユーザ装置が在圏していてもよい。
【００１５】
図２は、本実施形態の移動通信システムにおける基地局１０の主要部の一構成例を示すブロック図である。基地局１０は、基地局装置１００とアンテナ１１０とを備える。基地局装置１００は、無線部１２０、ベースバンド処理部１３０、外部インターフェース部１４０、制御部１５０などを有する。無線部１２０、基地局装置１００の本体側（ＢＢＵ）とは別の装置としてアンテナ側に設け、光ケーブルなどを介して基地局装置１００の本体側（ＢＢＵ）に接続してもよい。アンテナ１１０は、無指向性のアンテナでもよいし、所定方向に一又はビームを形成可能な複数素子からなるアンテナ（例えば、ＭａｓｓｉｖｅＭＩＭＯアンテナ）であってもよい。無線部１２０は、例えば、増幅部、周波数変換部、送受信切替部（ＤＵＰ）、直交変復調部等を備える。
【００１６】
ベースバンド処理部１３０は、送受信対象の制御情報やユーザデータ（ＩＰパケット）と、無線伝送路上に乗せるＯＦＤＭ信号（ベースバンド信号）の変換（変復調）を行う。変調方式としては、例えばＱＰＳＫ、１６ＱＡＭ、６４ＱＡＭ等を用いることができる。ベースバンド信号は無線部１２０との間で送受される。
【００１７】
外部インターフェース部１４０は、回線終端装置及びＡＤＳＬ（Asymmetric Digital Subscriber Line）回線や光回線等のブロードバンド公衆通信回線を介して移動体通信網のコアネットワークに接続され、コアネットワーク上の各種ノードとの間で所定の通信インターフェース及びプロトコルにより通信する。
【００１８】
制御部１５０は、例えばＣＰＵやメモリなどで構成され、予め組み込まれたプログラムを実行することにより各部を制御することができる。
【００１９】
ユーザ装置２０，２１は、例えば、アンテナ、送受信切替部（ＤＵＰ）、受信部、ＣＰ除去部、ＦＦＴ部、信号分離部、伝搬路補償部、復調部、複合部、ＤＭＲＳ伝搬路（チャネル）推定部、信号多重部、ＩＦＦＴ部、ＣＰ挿入部、送信部及び制御部を備える。ＤＭＲＳ伝搬路（チャネル）推定部は、基地局１０から送信されてきた既知の復調用参照信号（ＤＭＲＳ）の受信結果に基づいて、無線伝搬路（等価伝搬路）を推定する。復調部は、無線伝搬路（等価伝搬路）の推定結果に基づいて、送信信号に含まれるデータ信号を復調して復号する。他の各部の構成部分については、従来と同様な機能を有するので、それらの説明は省略する。
【００２０】
ここで、従来のＬＴＥの場合のように無線リソース３００におけるリソースエレメントを一単位として配置されるＤＭＲＳ３０１の配置パターンが固定である（例えば図３参照）と、基地局１０のセル１０Ａに在圏するユーザ装置２０，２１の無線通信の環境が変動すると受信信号が変動（低下）するおそれがある。
【００２１】
図４（ａ）は、低速移動環境及び高速移動環境それぞれのユーザ装置におけるフェージングによるダウンリンクの受信信号の時間軸上の変動特性の例を示す図である。図中の符号４０１の特性は低速移動環境のユーザ装置の受信信号の変動特性の例であり、図中の符号４０２の特性は高速移動環境のユーザ装置の受信信号の変動特性の例である。また、図４（ｂ）はマルチパス環境において遅延スプレッドが小さい場合及び大きい場合それぞれのユーザ装置における周波数選択性フェージングによるダウンリンクの受信信号の周波数軸上の変動特性の一例を示す図である。図中の符号４１１の特性はマルチパス環境において遅延スプレッドが小さい場合のユーザ装置の受信信号の変動特性の例であり、図中の符号４１２の特性はマルチパス環境において遅延スプレッドが大きい場合のユーザ装置の受信信号の変動特性の例である。ここで、マルチパス環境は、山やビルなどでの反射により基地局１０と同一のユーザ装置２１との間で複数の伝送路（パス）を介して無線信号が送受信される環境である。
【００２２】
例えば、図１中の高速列車内などの高速移動環境にあるユーザ装置２０では、図４（ａ）の矢印Ａで示すように時間軸上で受信信号が大きく変動（低下）する。また、図１中のマルチパス環境にあるユーザ装置２１では、図４（ｂ）の矢印Ｂで示すようにマルチパスで遅延スプレッドが大きくなることにより周波数軸上で受信信号が大きく変動（低下）する。このように環境によって受信信号が変動して低下すると、ＤＭＲＳの受信品質が低下し、無線伝搬路（等価伝搬路）の推定精度が低下し、スループットが低下する。
【００２３】
また、基地局１０のセル１０Ａで使用する可能性がある多数のＤＭＲＳ配置パターン候補の情報を制御信号（制御メッセージ）で予めユーザ装置２０，２１に通知する場合は、制御信号（制御メッセージ）のオーバーヘッドが増大するおそれがある。
【００２４】
そこで、本実施形態では、ユーザ装置２０，２１に送信する制御信号のオーバーヘッドの増大を抑制しつつ、ユーザ装置２０，２１の移動速度や遅延スプレッドの分布等の環境に応じて無線リソースにおける復調用参照信号の配置パターンを設定することができるように、以下に示すようなＤＭＲＳ配置パターンの二段階通知制御を基地局装置１００で行う。
【００２５】
本実施形態において、基地局装置１００の制御部１５０は、各部と連携することにより、次の各手段（１）〜（４）として機能することができる。
（１）基地局装置１００の無線通信エリアとしてのセル１０Ａで使用可能な無線リソースにおけるＤＭＲＳの複数の配置パターン候補（以下「ＤＭＲＳ配置パターン候補」ともいう。）の情報を記憶する記憶手段
（２）基地局装置１００のセル１０Ａに在圏しているユーザ装置２０，２１の環境情報に基づいて、前記複数のＤＭＲＳ配置パターン候補からユーザ装置２０，２１に割り当て可能な一又は複数の配置パターン候補を絞り込んで決定する決定手段
（３）前記決定した一又は複数のＤＭＲＳ配置パターン候補の情報をユーザ装置２０，２１に通知する第１の通知手段
（４）、前記決定した一又は複数のＤＭＲＳ配置パターン候補から選択したいずれか一つのＤＭＲＳ配置パターンを指定する指定情報をユーザ装置２０，２１に通知する第２の通知手段
【００２６】
ここで、前記決定した一又は複数のＤＭＲＳ配置パターン候補の情報は、例えば、その一又は複数のＤＭＲＳ配置パターン候補それぞれについて、ＤＭＲＳ配置パターン候補の識別情報と、無線リソースの時間軸及び周波数軸におけるＤＭＲＳの位置情報との対応付けたものである。
【００２７】
また、前記決定した一又は複数のＤＭＲＳ配置パターン候補の情報は、例えば、上位レイヤ（第３レイヤ）のＲＲＣ（無線リソース制御）シグナリングによりユーザ装置２０，２１に送信される。
【００２８】
また、前記決定した一又は複数のＤＭＲＳ配置パターン候補のうち、実際にユーザ装置２０での無線伝送路の推定に用いられるＤＭＲＳ配置パターンを指定するＤＭＲＳ配置パターン指定情報は、例えば、物理ダウンリンク制御チャネル（ＰＤＣＣＨ）の制御情報（ＤＣＩ）によりユーザ装置２０，２１に送信される。
【００２９】
ユーザ装置２０，２１の制御部は、基地局装置１００から予め通知された一又は複数のＤＭＲＳ配置パターン候補の情報を記憶する。そして、ＤＭＲＳ伝搬路（チャネル）推定部は、前記基地局装置１００から予め通知された一又は複数のＤＭＲＳ配置パターン候補から、ＰＤＣＣＨのＤＣＩにより通知されたＤＭＲＳ配置パターン指定情報により、実際に無線伝送路の推定に用いるＤＭＲＳ配置パターンを特定する。ＤＭＲＳ伝搬路（チャネル）推定部は、前記ＤＭＲＳ配置パターン指定情報で指定されたＤＭＲＳ配置パターンで送信されてきた既知のＤＭＲＳの受信結果に基づいて、無線伝搬路（等価伝搬路）を推定する。
【００３０】
本実施形態において、セルごとにユーザ装置の無線通信環境（例えば、ユーザ装置の移動速度や遅延スプレッド）の傾向が異なるので、各セルに最適なＤＭＲＳ配置パターン候補が異なる。そこで、本実施形態では、上記ＤＭＲＳ配置パターン候補の二段階通知制御を行うにあたって、セル１０Ａで使用可能な多数のＤＭＲＳ配置パターン候補から、ユーザ装置の無線通信環境に応じて、ユーザ装置に割り当て可能な通知対象のＤＭＲＳ配置パターン候補を選択して決定している。例えば、ユーザ装置が在圏するセル１０Ａの無線通信環境の傾向に応じた最適なＤＭＲＳ配置パターン候補を選択して決定している。
【００３１】
セル１０Ａの無線通信環境の傾向は、例えば、セル１０Ａ内に在圏するすべてのユーザ装置の移動速度や遅延スプレッドの分布（例えば累積分布関数：ＣＤＦ）から判断する。そして、例えば、この移動速度の分布（ＣＤＦ）に基づいて、セル１０Ａ内のユーザ装置の移動速度のＣＤＦにおける５０％を中心とした所定範囲（例えば、５〜９５％）に対応する移動速度の範囲に基づいてＤＭＲＳ配置パターン候補を絞り込んで決定してもよい。また、遅延スプレッドの分布（ＣＤＦ）に基づいて、セル１０Ａ内のユーザ装置の遅延スプレッドのＣＤＦにおける５０％を中心とした所定範囲（例えば、５〜９５％）に対応する遅延スプレッドの範囲に基づいてＤＭＲＳ配置パターン候補を絞り込んで決定してもよい。
【００３２】
ここで、基地局１０は、例えばセル１０Ａに在圏する複数のユーザ装置それぞれから送信されてくるアップリンクの信号から各ユーザ装置の移動速度や遅延スプレッドを検出して取得し、累積することができる。複数のユーザ装置それぞれがＧＰＳ受信機能を有している場合は、各ユーザ装置からフィードバックされる現在位置情報に紐づけて各ユーザ装置の移動速度や遅延スプレッドを検出して累積してもよい。この場合は、後述するセル１０Ａを分割した複数の分割エリア（グリッド）ごとに、各ユーザ装置の移動速度や遅延スプレッドを検出して累積し、移動速度や遅延スプレッドのＣＤＦを作成することができる。
【００３３】
図５は、基地局１０のセル１０Ａ内に在圏する複数のユーザ装置の移動速度の累積分布関数（ＣＤＦ）の一例を示すグラフであり、図６は、図５の移動速度分布を有するセル１０Ａに対応するように決定した複数のＤＭＲＳ配置パターン候補６０１、６０２の一例を示す図である。図５の例に示すように、例えば、移動速度が５０［ｋｍ／ｈ］以下の低速度のユーザ端末が多い場合は、フェージングによる受信信号の時変動が少ないため、図６に例示するように時間軸上のＤＭＲＳ３０１の密度が小さいＤＭＲＳ配置パターン候補６０１、６０２を選択して決定する。この決定したＤＭＲＳ配置パターン候補６０１、６０２の情報を、セル１０Ａ内に在圏するユーザ端末に通知する。
【００３４】
図７は、基地局１０のセル１０Ａ内に在圏する複数のユーザ装置の移動速度の累積分布関数の他の例を示すグラフであり、図８は、図７の移動速度分布を有するセル１０Ａに対応するように決定した複数のＤＭＲＳ配置パターン候補８０１〜８０４の一例を示す図である。図７の例に示すように、セル１０Ａ内のユーザ装置の移動速度が低速度から高速度まで広く分布している場合は、セル１０Ａ内の各ユーザ装置の無線通信環境（移動速度によるフェージングの影響）に広く対応するため、ＤＭＲＳ配置パターン候補を増やし、図８に例示するように時間軸上のＤＭＲＳ３０１の密度が互いに異なる４種類のＤＭＲＳ配置パターン候補８０１〜８０４を選択して決定する。この決定したＤＭＲＳ配置パターン候補８０１〜８０４の情報を、セル１０Ａ内に在圏するユーザ端末に通知する。
【００３５】
図９は、基地局１０のセル１０Ａ内に在圏するユーザ装置の遅延スプレッドによる受信信号の周波数軸上の変動が互いに異なる場合それぞれに対応するように決定した複数のＤＭＲＳ配置パターン候補の例を示す図である。例えば、遅延スプレッドが大きく受信信号の周波数軸上の変動が大きいユーザ端末が多い場合は、図９中の左側に示すような周波数軸上のＤＭＲＳ３０１の密度が高いＤＭＲＳ配置パターン候補９０１、９０２を選択して決定する。この決定したＤＭＲＳ配置パターン候補９０１、９０２の情報を、セル１０Ａ内に在圏するユーザ端末に通知する。
【００３６】
一方、遅延スプレッドが小さく受信信号の周波数軸上の変動が小さいユーザ端末が多い場合は、図９中の右側に示すような周波数軸上のＤＭＲＳ３０１の密度が低いＤＭＲＳ配置パターン候補９０３、９０４を選択して決定する。この決定したＤＭＲＳ配置パターン候補９０３、９０４の情報を、セル１０Ａ内に在圏するユーザ端末に通知する。
【００３７】
また、セル１０Ａ内のユーザ装置の遅延スプレッドが広く分布している場合は、セル１０Ａ内の各ユーザ装置の無線通信環境（移動速度によるフェージングの影響）に広く対応するため、図９の周波数軸上のＤＭＲＳ３０１の密度が互いに異なる４種類のＤＭＲＳ配置パターン候補９０１〜９０４のすべてを選択して決定する。この決定したＤＭＲＳ配置パターン候補９０１〜９０４の情報を、セル１０Ａ内に在圏するユーザ端末に通知する。
【００３８】
なお、同一セル内の複数の場所それぞれおいて、ユーザ装置の無線通信環境（例えば、ユーザ装置の移動速度や遅延スプレッド）の傾向が異なり、最適なＤＭＲＳ配置パターン候補が異なる場合がある。この場合は、図１０に示すように同一セル１０００を複数の分割エリア（グリッド）１００１、１００２、・・・に分割し、グリッドごとに、在圏するユーザ装置の移動速度や遅延スプレッドを集計して分布を求め、その分布に基づいてＤＭＲＳ配置パターン候補を選択してもよい。この場合は、セル全体で最適なＤＭＲＳ配置パターン候補を決定する場合によりも、セル内の各場所でより細かく且つ精度よくＤＭＲＳ配置パターン候補を絞り込んで決定することができる。
【００３９】
ここで、上記ユーザ装置に通知する選択対象のＤＭＲＳ配置パターン候補の周波数軸上のＤＭＲＳの密度は、そのユーザ装置が在圏するグリッドにより決定してもよい。例えば、ユーザ装置が在圏するグリッドにおける遅延スプレッド分布の集計結果に基づいて、選択対象のＤＭＲＳ配置パターン候補の周波数軸上のＤＭＲＳの密度を決定してもよい。
【００４０】
また、上記ユーザ装置に通知する選択対象のＤＭＲＳ配置パターン候補の時間軸上のＤＭＲＳの密度は、そのユーザ装置の移動速度に基づいて決定してもよい。例えば、ユーザ装置の移動速度に応じて、予め作成した移動速度と時間軸上のＤＭＲＳの密度との関係を示すマッチングテーブルにより、選択対象のＤＭＲＳ配置パターン候補の時間軸上のＤＭＲＳの密度を決定してもよい。
【００４１】
また、本実施形態において、ユーザ装置の高速移動時には遅延スプレッドの値は大きく変動するため、ＤＭＲＳ配置パターン候補の周波数軸方向のＤＭＲＳの密度を追従させることが難しい場合がある。この場合は、ＤＭＲＳ配置パターン候補の時間軸方向のＤＭＲＳの密度を最適化するように、ユーザ装置の移動速度に応じて通知対象のＤＭＲＳ配置パターン候補におけるＤＭＲＳの密度を決定してもよい。なお、この場合においても、ユーザ装置への制御信号のオーバーヘッドを減らすため、次に例示するように必要なＤＭＲＳ配置パターン候補パターンのみを通知してもよい。
【００４２】
図１１は、ユーザ装置の移動速度が低速度のときのＤＭＲＳ配置パターン候補の例を示す図である。ユーザ装置の移動速度が所定速度よりも低い低速度の場合は、時間軸上に高密度のＤＭＲＳは必要ないため、例えば図１１に示すように、時間軸上に１個又は２個のＤＭＲＳ３０１が配置されたＤＭＲＳ配置パターン候補１１０１、１１０２を選択して決定する。
【００４３】
図１２は、ユーザ装置の移動速度が高速度のときのＤＭＲＳ配置パターン候補の例を示す図である。ユーザ装置の移動速度が所定速度以上の高速度の場合は、時間軸上に高密度のＤＭＲＳが必要になるため、例えば図１２に示すように、時間軸上に３個又は４個のＤＭＲＳ３０１が配置されたＤＭＲＳ配置パターン候補１２０１、１２０２を選択して決定する。
【００４４】
なお、上記実施形態において、ユーザ装置の移動速度に基づいて、一又は複数のＤＭＲＳ配置パターン候補の情報をユーザ装置に通知するときの信号や通信方式を切り替えてもよい。例えば、ユーザ装置の移動速度が所定速度以上の高速度の場合には、瞬時的に状況が変わることが想定されるので、信号間隔（更新間隔）が短く瞬時的に変更するのに適したＤＣＩ（ダウンリンク制御情報）を用いて、ＤＭＲＳ配置パターン候補をユーザ装置に通知してもよい。一方、ユーザ装置の移動速度が所定速度よりも低い低速度の場合には、信号間隔（更新間隔）が比較的長い上位レイヤのＲＲＣシグナリングを用いて、ＤＭＲＳ配置パターン候補をユーザ装置に通知してもよい。
【００４５】
また、上記実施形態の通知制御において、基地局装置１００が１つのＤＭＲＳ配置パターン候補をユーザ装置２０，２１に通知する場合、前述のＤＭＲＳ配置パターン指定情報を通知しないようにしてもよい。この場合、ユーザ装置２０，２１は、基地局装置１００から通知された１つのＤＭＲＳ配置パターン候補を、そのまま実際に無線伝送路の推定に用いる。すなわち、ユーザ装置２０，２１は、基地局装置１００から通知された１つのＤＭＲＳ配置パターン候補で送信されてきた既知のＤＭＲＳの受信結果に基づいて、無線伝搬路（等価伝搬路）を推定する。このようにＤＭＲＳ配置パターン指定情報を通知しない一段通知制御においても、ユーザ装置の移動速度に基づいて、ＤＭＲＳ配置パターン候補の情報をユーザ装置に通知するときの信号や通信方式を切り替えてもよい。例えば、ユーザ装置の移動速度が所定速度以上の高速度の場合には、所定精度のチャネル推定に必要なＤＭＲＳ配置パターンが瞬時的に変わることが想定されるので、信号間隔（更新間隔）が短くＤＭＲＳ配置パターンを瞬時的に変更するのに適したＤＣＩ（ダウンリンク制御情報）を用いて、無線伝送路の推定に用いるＤＭＲＳ配置パターン候補をユーザ装置に通知してもよい。一方、ユーザ装置の移動速度が所定速度よりも低い低速度の場合には、信号間隔（更新間隔）が比較的長い上位レイヤのＲＲＣシグナリングを用いて、無線伝送路の推定に用いるＤＭＲＳ配置パターン候補をユーザ装置に通知してもよい。
【００４６】
以上、本実施形態によれば、ユーザ装置２０，２１が在圏するセル１０Ａで使用可能なＤＭＲＳ配置パターン候補をユーザ装置２０，２１に通知するのではなく、多数の無線環境（例えば、ユーザ装置の移動速度や遅延スプレッド）に応じて絞り込んで選択して決定したＤＭＲＳ配置パターン候補をユーザ装置２０，２１に通知している。従って、基地局装置１００からユーザ装置２０，２１に送信する制御信号（例えば、ＲＲＣシグナリングで送信される信号）のオーバーヘッドの増大を抑制しつつ、ユーザ装置２０，２１の移動速度や遅延スプレッドの分布等の環境に応じて無線リソースにおける復調用参照信号（ＤＭＲＳ）の配置パターンを設定することができる。
【００４７】
また、本明細書で説明された処理工程並びに移動通信システム、基地局装置及びユーザ装置（端末、端末装置、移動局、移動機）の構成要素は、様々な手段によって実装することができる。例えば、これらの工程及び構成要素は、ハードウェア、ファームウェア、ソフトウェア、又は、それらの組み合わせで実装されてもよい。
【００４８】
ハードウェア実装については、実体（例えば、各種無線通信装置、Ｎｏｄｅ Ｂ、端末、ハードディスクドライブ装置、又は、光ディスクドライブ装置）において上記工程及び構成要素を実現するために用いられる処理ユニット等の手段は、１つ又は複数の、特定用途向けＩＣ（ＡＳＩＣ）、デジタルシグナルプロセッサ（ＤＳＰ）、デジタル信号処理装置（ＤＳＰＤ）、プログラマブル・ロジック・デバイス（ＰＬＤ）、フィールド・プログラマブル・ゲート・アレイ（ＦＰＧＡ）、プロセッサ、コントローラ、マイクロコントローラ、マイクロプロセッサ、電子デバイス、本明細書で説明された機能を実行するようにデザインされた他の電子ユニット、コンピュータ、又は、それらの組み合わせの中に実装されてもよい。
【００４９】
また、ファームウェア及び／又はソフトウェア実装については、上記構成要素を実現するために用いられる処理ユニット等の手段は、本明細書で説明された機能を実行するプログラム（例えば、プロシージャ、関数、モジュール、インストラクション、などのコード）で実装されてもよい。一般に、ファームウェア及び／又はソフトウェアのコードを明確に具体化する任意のコンピュータ／プロセッサ読み取り可能な媒体が、本明細書で説明された上記工程及び構成要素を実現するために用いられる処理ユニット等の手段の実装に利用されてもよい。例えば、ファームウェア及び／又はソフトウェアコードは、例えば制御装置において、メモリに記憶され、コンピュータやプロセッサにより実行されてもよい。そのメモリは、コンピュータやプロセッサの内部に実装されてもよいし、又は、プロセッサの外部に実装されてもよい。また、ファームウェア及び／又はソフトウェアコードは、例えば、ランダムアクセスメモリ（ＲＡＭ）、リードオンリーメモリ（ＲＯＭ）、不揮発性ランダムアクセスメモリ（ＮＶＲＡＭ）、プログラマブルリードオンリーメモリ（ＰＲＯＭ）、電気的消去可能ＰＲＯＭ（ＥＥＰＲＯＭ）、ＦＬＡＳＨメモリ、フロッピー（登録商標）ディスク、コンパクトディスク（ＣＤ）、デジタルバーサタイルディスク（ＤＶＤ）、磁気又は光データ記憶装置、などのような、コンピュータやプロセッサで読み取り可能な媒体に記憶されてもよい。そのコードは、１又は複数のコンピュータやプロセッサにより実行されてもよく、また、コンピュータやプロセッサに、本明細書で説明された機能性のある態様を実行させてもよい。
【００５０】
また、本明細書で開示された実施形態の説明は、当業者が本開示を製造又は使用するのを可能にするために提供される。本開示に対するさまざまな修正は当業者には容易に明白になり、本明細書で定義される一般的原理は、本開示の趣旨又は範囲から逸脱することなく、他のバリエーションに適用可能である。それゆえ、本開示は、本明細書で説明される例及びデザインに限定されるものではなく、本明細書で開示された原理及び新規な特徴に合致する最も広い範囲に認められるべきである。
【符号の説明】
【００５１】
１０：基地局
１０Ａ：セル
２０：ユーザ装置
２１：ユーザ装置
１００：基地局装置
１１０：アンテナ
１２０：無線部
１３０：ベースバンド処理部
１４０：外部インターフェース部
１５０：制御部
３００：無線リソース
３０１：復調用参照信号（ＤＭＲＳ）
６０１，６０２：ＤＭＲＳ配置パターン候補
８０１〜８０４：ＤＭＲＳ配置パターン候補
９０１〜９０４：ＤＭＲＳ配置パターン候補
１０００：分割対象のセル（基地局の無線通信エリア）
１００１、１００２：グリッド（分割エリア）
１１０１，１１０２：ＤＭＲＳ配置パターン候補
１２０１，１２０２：ＤＭＲＳ配置パターン候補
【図１】
2018182515.tif 000003
【図２】
2018182515.tif 000004
【図３】
2018182515.tif 000005
【図４】
2018182515.tif 000006
【図５】
2018182515.tif 000007
【図６】
2018182515.tif 000008
【図７】
2018182515.tif 000009
【図８】
2018182515.tif 000010
【図９】
2018182515.tif 000011
【図１０】
2018182515.tif 000012
【図１１】
2018182515.tif 000013
【図１２】
2018182515.tif 000014